(57)【要約】【課題】電力レベルが異なる複数のユーザデータを同一のフレームにて伝送する場合に、通信品質の劣化を防止するスケジューリング方法を得ること。【解決手段】本発明にかかるスケジューリング方法は、基地局装置（１）が複数の端末装置（２および３）に対する下りユーザデータを同一フレーム内のＯＦＤＭＡシンボルに設定して送信する場合の下り伝送のスケジューリング方法であって、複数の下りユーザデータを同一のＯＦＤＭＡシンボルにて送信する場合、複数の下りユーザデータの中の特定の下りユーザデータが他の下りユーザデータの通信品質に影響を与えるか否か、を判断する影響度判断工程と、特定の下りユーザデータが他の下りユーザデータの通信品質に影響を与えると判断した場合、特定の下りユーザデータを、他の下りユーザデータと異なるＯＦＤＭＡシンボルにて送信するようにスケジューリングを行うスケジューリング工程と、を含む。【選択図】        図１
2009088577.tif 000002
【特許請求の範囲】
【請求項１】
ＯＦＤＭＡ（Orthogonal  Frequency  Division  Multiple  Access）方式を使用した無線通信システムの基地局装置が複数の端末装置（ユーザ）に対するユーザデータ（下りユーザデータ）を同一フレーム内のＯＦＤＭＡシンボルに設定して送信する場合の下り伝送のスケジューリング方法であって、
複数の下りユーザデータを同一のＯＦＤＭＡシンボルにて送信する場合、前記複数の下りユーザデータの中の特定の下りユーザデータが他の下りユーザデータの通信品質に影響を与えるか否か、を判断する影響度判断工程と、
前記特定の下りユーザデータが前記他の下りユーザデータの通信品質に影響を与えると判断した場合、当該特定の下りユーザデータを、当該他の下りユーザデータと異なるＯＦＤＭＡシンボルにて送信するようにスケジューリングを行うスケジューリング工程と、
を含むことを特徴とするスケジューリング方法。
【請求項２】
前記影響度判断工程では、各下りユーザデータの送信電力レベルに基づいて、前記特定の下りユーザデータが前記他の下りユーザデータの通信品質に影響を与えるか否かを判断することを特徴とする請求項１に記載のスケジューリング方法。
【請求項３】
さらに、
前記影響度判断工程では、任意の２つ以上の下りユーザデータを同一のＯＦＤＭＡシンボルにて送信する場合に、互いの通信品質に与える影響が許容範囲内となる送信電力レベルの下りユーザデータ同士が、同一のユーザデータグループとなるように、グループ分けし、
前記スケジューリング工程では、異なるユーザデータグループに属する下りユーザデータを異なるＯＦＤＭＡシンボルにて送信するようにスケジューリングを行うことを特徴とする請求項２に記載のスケジューリング方法。
【請求項４】
前記影響度判断工程では、基地局と各ユーザとの距離に基づいて、前記特定の下りユーザデータが前記他の下りユーザデータの通信品質に影響を与えるか否かを判断することを特徴とする請求項１に記載のスケジューリング方法。
【請求項５】
さらに、
前記影響度判断工程では、任意の２つ以上の下りユーザデータを同一のＯＦＤＭＡシンボルにて送信する場合に、互いの通信品質に与える影響が許容範囲内となる基地局からの距離にあるユーザの下りユーザデータ同士が、同一のユーザデータグループとなるように、グループ分けし、
前記スケジューリング工程では、異なるユーザデータグループに属する下りユーザデータを異なるＯＦＤＭＡシンボルにて送信するようにスケジューリングを行うことを特徴とする請求項４に記載のスケジューリング方法。
【請求項６】
前記影響度判断工程では、さらに、各下りユーザデータの送信電力レベルの順番に基づいて、互いの通信品質に与える影響が許容範囲内となる送信電力レベルの下りユーザデータ同士が、同一のユーザデータグループとなるように、グループ分けすることを特徴とする請求項３に記載のスケジューリング方法。
【請求項７】
前記影響度判断工程では、さらに、各ユーザとの距離が短い順番に基づいて、互いの通信品質に与える影響が許容範囲内となる基地局からの距離にあるユーザの、下りユーザデータ同士が、同一のユーザデータグループとなるように、グループ分けすることを特徴とする請求項５に記載のスケジューリング方法。
【請求項８】
さらに、
前記スケジューリング工程では、宛先である端末装置から通知される下り伝送路の状態に基づいて、伝送路状態が最も良好なサブチャネルから順番に、当該下りユーザデータをマッピングするためのサブチャネルを選択することを特徴とする請求項１〜７のいずれか一つに記載のスケジューリング方法。
【請求項９】
ＯＦＤＭＡ（Orthogonal  Frequency  Division  Multiple  Access）方式を使用した無線通信システムの基地局装置が複数の端末装置（ユーザ）のユーザデータ（上りユーザデータ）を同一フレーム内のＯＦＤＭＡシンボルにて受信する場合の上り伝送のスケジューリング方法であって、
複数の上りユーザデータを同一のＯＦＤＭＡシンボルにて受信する場合、前記複数の上りユーザデータの中の特定の上りユーザデータが他の上りユーザデータの通信品質に影響を与える（通信品質を劣化させる）か否か、を判断する影響度判断工程と、
前記特定の上りユーザデータが前記他の上りユーザデータの通信品質に影響を与えると判断した場合、当該特定の上りユーザデータを、当該他の上りユーザデータと異なるＯＦＤＭＡシンボルにて送信するようにスケジューリングを行うスケジューリング工程と、
を含むことを特徴とするスケジューリング方法。
【請求項１０】
前記影響度判断工程では、各上りユーザデータの受信電力レベルに基づいて、前記特定の上りユーザデータが前記他の上りユーザデータの通信品質に影響を与えるか否かを判断することを特徴とする請求項９に記載のスケジューリング方法。
【請求項１１】
さらに、
前記影響度判断工程では、任意の２つ以上の上りユーザデータを同一のＯＦＤＭＡシンボルにて受信する場合に、互いの通信品質に与える影響が許容範囲内となる受信電力レベルの上りユーザデータ同士が、同一のユーザデータグループとなるように、グループ分けし、
前記スケジューリング工程では、異なるユーザデータグループに属する上りユーザデータを異なるＯＦＤＭＡシンボルにて受信するようにスケジューリングを行うことを特徴とする請求項１０に記載のスケジューリング方法。
【請求項１２】
前記影響度判断工程では、基地局と各ユーザとの距離に基づいて、前記特定の上りユーザデータが前記他の上りユーザデータの通信品質に影響を与えるか否かを判断することを特徴とする請求項９に記載のスケジューリング方法。
【請求項１３】
さらに、
前記影響度判断工程では、任意の２つ以上の上りユーザデータを同一のＯＦＤＭＡシンボルにて受信する場合に、互いの通信品質に与える影響が許容範囲内となる基地局からの距離にあるユーザの上りユーザデータ同士が、同一のユーザデータグループとなるように、グループ分けし、
前記スケジューリング工程では、異なるユーザデータグループに属する上りユーザデータを異なるＯＦＤＭＡシンボルにて受信するようにスケジューリングを行うことを特徴とする請求項１２に記載のスケジューリング方法。
【請求項１４】
前記影響度判断工程では、さらに、各上りユーザデータの受信電力レベルの順番に基づいて、互いの通信品質に与える影響が許容範囲内となる受信電力レベルの、上りユーザデータ同士が、同一のユーザデータグループとなるように、グループ分けすることを特徴とする請求項１１に記載のスケジューリング方法。
【請求項１５】
前記影響度判断工程では、さらに、各ユーザとの距離が短い順番に基づいて、互いの通信品質に与える影響が許容範囲内となる基地局からの距離にあるユーザの、上りユーザデータ同士が、同一のユーザデータグループとなるように、グループ分けすることを特徴とする請求項１３に記載のスケジューリング方法。
【請求項１６】
さらに、
前記スケジューリング工程では、上り伝送路の状態が最も良好なサブチャネルから順番に、当該上りユーザデータを受信するためのサブチャネルを選択することを特徴とする請求項９〜１５のいずれか一つに記載のスケジューリング方法。
【請求項１７】
ＯＦＤＭＡ方式を使用した無線通信システムを構成し、自局配下の複数の端末装置との間で同時通信を行う基地局装置であって、
請求項１〜８のいずれか一つに記載の処理により、下り伝送のスケジューリングを行うことを特徴とする基地局装置。
【請求項１８】
ＯＦＤＭＡ方式を使用した無線通信システムを構成し、自局配下の複数の端末装置との間で同時通信を行う基地局装置であって、
請求項９〜１６のいずれか一つに記載の処理により、上り伝送のスケジューリングを行うことを特徴とする基地局装置。
【請求項１９】
ＯＦＤＭＡ方式を使用した無線通信システムを構成し、自局配下の複数の端末装置との間で同時通信を行う基地局装置であって、
請求項１〜８のいずれか一つに記載の処理により、下り伝送のスケジューリングを行い、
請求項９〜１６のいずれか一つに記載の処理により、上り伝送のスケジューリングを行うことを特徴とする基地局装置。
【発明の詳細な説明】
【技術分野】
【０００１】
本発明は、無線通信システムの基地局装置が行うスケジューリング方法に関するものであり、特に、ＯＦＤＭＡ（Orthogonal  Frequency  Division  Multiple  Access）方式を使用して基地局装置が複数の端末装置（ユーザ）と同時に通信を行う場合のスケジューリング方法に関するものである。
【背景技術】
【０００２】
基地局装置（以下、基地局と呼ぶ）が、ユーザである複数の端末装置（以下、端末と呼ぶ）と同時に（一つのフレームを共用して）通信を行うための技術の一つとしてＯＦＤＭＡ方式を適用した下記非特許文献１が存在する。下記非特許文献１によれば、基地局は、周波数帯を複数のサブチャネルに分割し、サブチャネルを複数の端末に割り当てることにより複数の端末との間で同時に通信を行う。具体的には、複数の端末に対するデータ（以下、下りユーザデータと呼ぶ）を同時に送信する場合、基地局は、各端末に割り当てるサブチャネルを選択し、さらに選択したサブチャネル内のＯＦＤＭＡシンボル（以下、シンボルと呼ぶ）を選択する。そして、基地局は、各端末に対する下りユーザデータを、選択したシンボルに設定して送信する。ここで、複数の端末（ユーザ＃１およびユーザ＃２とする）に対して同時に下りユーザデータを送信する場合、基地局は、下りユーザデータを設定するためのサブチャネルおよびシンボルを、たとえば、図６に示したように割り当てる。図６は、同一のフレーム内のシンボルを複数の下りユーザデータに対して割り当てた場合の一例を示す図である。図６において、左上がり斜線部分がユーザ＃１の下りユーザデータに割り当てられ、右上がり斜線部分がユーザ＃２の下りユーザデータに割り当てられている。
【０００３】
また、基地局に対してデータ（以下、上りユーザデータと呼ぶ）を送信する場合、端末は、予め基地局から割り当てられていた（指定されていた）サブチャネルおよびシンボルに上りユーザデータを設定して送信する。なお、複数の端末（ユーザ＃１およびユーザ＃２）が同じ基地局に対して同時に（同一のフレームを使用して）上りユーザデータを送信する場合、それぞれの端末は、たとえば、図７−１および図７−２に示したようなシンボルに上りユーザデータを設定する。図７−１は基地局がユーザ＃１の上りユーザデータに対して割り当てたシンボルの一例を示す図であり、図７−２は基地局がユーザ＃２の上りユーザデータに対して割り当てたシンボルの一例を示す図である。なお、図７−１に示したフレームと図７−２に示したフレームは同一のタイミングで基地局に到達するように送信され、基地局において受信後、合成される。
【０００４】
【非特許文献１】ＩＥＥＥ  ｓｔｄ  ８０２．１６−２００４
【発明の開示】
【発明が解決しようとする課題】
【０００５】
しかしながら、従来の技術においては、複数の下りユーザデータが同時に存在する場合、それらを同一フレームに設定する際のサブチャネルおよびシンボルへの割り当て方法（下りユーザデータを設定するシンボルの選択方法）は規定されていない。そのため、下りユーザデータが同一シンボルに設定される場合がある（図６参照）。そして、図６に示した例のように各下りユーザデータが同じシンボルに設定され、かつ各下りユーザデータ間の送信電力レベルの差が大きい場合、送信電力の大きい側から受ける影響により、送信電力レベルの小さい側においては送信データに対するＩＦＦＴ（Inverse  Fast  Fourier  Transform：逆高速フーリエ変換）、Ａ／Ｄ変換、Ｄ／Ａ変換などの処理に伴い発生する量子化誤差が増大し、通信品質が劣化する、という問題があった。
【０００６】
また、各端末が基地局に対してデータを送信する場合の上りユーザデータのサブチャネルおよびシンボルへの割り当て方法についても規定されていない。そのため、同一シンボルにて複数のユーザデータを受信する場合がある（図７−１および図７−２参照）。このとき、基地局における各上りユーザデータの受信電力レベルの差が大きい場合、上述した下りユーザデータを同一シンボルにて送信した場合と同様に、受信電力レベルの小さい側の通信品質が劣化する、という問題があった。
【０００７】
また、上記量子化誤差の増大を回避して通信品質を確保する場合、Ａ／Ｄ変換、Ｄ／Ａ変換などの量子化ビット数を増加させる必要があり、ハードウエアおよび処理が複雑になる、という問題があった。
【０００８】
本発明は、上記に鑑みてなされたものであって、互いに電力レベルが異なる複数のユーザデータを同一のフレームにて送受信する場合であっても、電力レベルの低い側の通信品質が劣化するのを防止するスケジューリング方法を得ることを目的とする。
【課題を解決するための手段】
【０００９】
上述した課題を解決し、目的を達成するために、下りユーザデータ送信時の本発明にかかるスケジューリング方法は、ＯＦＤＭＡ方式を使用した無線通信システムの基地局装置が複数の端末装置（ユーザ）に対する下りユーザデータを同一フレーム内のＯＦＤＭＡシンボルに設定して送信する場合の下り伝送のスケジューリング方法であって、複数の下りユーザデータを同一のＯＦＤＭＡシンボルにて送信する場合、前記複数の下りユーザデータの中の特定の下りユーザデータが他の下りユーザデータの通信品質に影響を与えるか否か、を判断する影響度判断工程と、前記特定の下りユーザデータが前記他の下りユーザデータの通信品質に影響を与えると判断した場合、当該特定の下りユーザデータを、当該他の下りユーザデータと異なるＯＦＤＭＡシンボルにて送信するようにスケジューリングを行うスケジューリング工程と、を含むことを特徴とする。また、上りユーザデータ送信時の本発明にかかるスケジューリング方法は、ＯＦＤＭＡ方式を使用した無線通信システムの基地局装置が複数の端末装置の上りユーザデータを同一フレーム内のＯＦＤＭＡシンボルにて受信する場合の上り伝送のスケジューリング方法であって、複数の上りユーザデータを同一のＯＦＤＭＡシンボルにて受信する場合、前記複数の上りユーザデータの中の特定の上りユーザデータが他の上りユーザデータの通信品質に影響を与えるか否か、を判断する影響度判断工程と、前記特定の上りユーザデータが前記他の上りユーザデータの通信品質に影響を与えると判断した場合、当該特定の上りユーザデータを、当該他の上りユーザデータと異なるＯＦＤＭＡシンボルにて送信するようにスケジューリングを行うスケジューリング工程と、を含むことを特徴とする。
【発明の効果】
【００１０】
この発明によれば、基地局は、各下りユーザデータの送信電力レベルまたは各端末までの距離に基づいて下りユーザデータのグループ分けを行い、異なるグループに属する下りユーザデータ同士を同一シンボルにて送信しないようにスケジューリングすることとした。また、基地局は、各上りユーザデータの受信信号レベルまたは各端末までの距離に基づいて上りユーザデータのグループ分けを行い、異なるグループに属する上りユーザデータ同士を同一シンボルにて受信しないようにスケジューリングすることとした。これにより、送信電力レベルが異なるユーザデータを同一のフレームにて送受信する場合に、通信品質が劣化するのを防止することができる。
【発明を実施するための最良の形態】
【００１１】
以下に、本発明にかかるスケジューリング方法および基地局装置の実施の形態を図面に基づいて詳細に説明する。なお、この実施の形態によりこの発明が限定されるものではない。
【００１２】
実施の形態１．
図１は、本発明にかかるスケジューリング方法を適用する無線通信システムの実施の形態１の構成例を示す図である。この無線通信システムは、基地局装置（以下、基地局と呼ぶ）１と、端末装置（以下、端末と呼ぶ）２および３と、を含む。そして、基地局１は、ＤＬ（Down  Link）を介して端末２および３に対するユーザデータ（以下、下りユーザデータと呼ぶ）を送信し、ＵＬ（Up  Link）を介して端末２および３からのデータ（以下、上りユーザデータと呼ぶ）を受信する。
【００１３】
図２は、基地局１の構成例を示す図であり、この基地局１は、下りユーザデータの送信処理を行うランダマイズ部１１と、符号化処理部１２と、インターリーブ処理部１３と、変調部１４と、マッピング部１５と、ＩＦＦＴ（Inverse  Fast  Fourier  Transform）部１６と、ＧＩ（Guard  Interval）付加部１７と、を備え、さらに、上りユーザデータの受信処理を行うＧＩ削除部２１と、ＦＦＴ部２２と、検波部２３と、デマッピング部２４と、復調部２５と、デインターリーブ処理部２６と、復号化処理部２７と、デランダマイズ部２８と、を備え、また、下りユーザデータおよび上りユーザデータを送受信するためのアンテナ３０と、を備える。以下、図２に基づいて、基地局１が下りユーザデータを送信する処理および上りユーザデータを受信する処理について説明する。
【００１４】
まず、下りユーザデータの送信処理について説明する。下りユーザデータは、ランダマイズ部１１においてランダマイズされた後、符号化処理部１２において符号化される。符号化された下りユーザデータは、インターリーブ処理部１３においてインターリーブされ、インターリーブされた下りユーザデータに対して変調部１４が変調処理を実行し、変調データを生成する。マッピング部１５は、各下りユーザデータ（変調データ）の送信電力レベルに基づいて、各下りユーザデータをスケジューリング部１８が決定したＯＦＤＭＡシンボルおよびサブチャネルにマッピングし、ＩＦＦＴ部１６へ出力する。なお、スケジューリング部１８の詳細動作については後述する。マッピング部１５から出力されたデータは、ＩＦＦＴ部１６においてＩＦＦＴ（逆高速フーリエ変換）が実行され、ＧＩ付加部１７においてガードインターバルが付加された後、アンテナ３０を介して端末へ送信される。
【００１５】
つづいて、上りユーザデータの受信処理について説明する。アンテナ３０を介して受信した上りユーザデータは、ＧＩ削除部２１においてガードインターバルが削除された後、ＦＦＴ部２２においてＦＦＴ（高速フーリエ変換）が実行され、さらに、検波部２３において検波処理が実行される。デマッピング部２４は、検波部２３の出力データから各上りユーザデータ（各ユーザから受信した上りユーザデータ）データを抽出し、抽出されたデータに対して復調部２５が復調処理を実行する。デインターリーブ部２６は、復調されたデータをデインターリーブし、デインターリーブされたデータは、復号化処理部２７において復号化され、さらにデランダマイズ部２８においてデランダマイズされる。
【００１６】
なお、端末２および３も基地局１と同様の構成を含み、上述したデータ送信処理により基地局１に対して上りユーザデータを送信し、データ受信処理により基地局１からの下りユーザデータを受信する。ただし、端末２および３のマッピング部は、基地局から予め指示されている上りユーザデータ送信用シンボルのスケジューリング結果に従って、マッピング処理を実行する。すなわち、同一基地局配下の各端末のマッピング部は、基地局から受信した前回の下りフレーム（下りユーザデータが設定されたフレーム）に含まれる上りサブチャネルおよびシンボルのスケジューリング結果に基づいて、次回送信する上りユーザデータのマッピング処理を実行する。
【００１７】
つづいて、スケジューリング部１８が複数の下りユーザデータを同一フレームで送信する場合のスケジューリング動作について説明する。たとえば、下りユーザデータ間の送信電力レベル差が大きく、かつそれらが図６に示したような同一シンボルで送信される場合、電力レベルが小さい送信データは、ＩＦＦＴ、Ａ／Ｄ変換、Ｄ／Ａ変換などの処理に伴い発生する量子化誤差による影響が大きくなり品質劣化が発生する。そのため、この品質劣化を防止するために、スケジューリング部１８は、送信電力レベル差が大きい複数の下りユーザデータ同士が同一シンボルにて送信されないように、スケジューリングを実行後、マッピング部１５に通知し、マッピング部１５は、下りユーザデータのマッピングを行う。すなわち、複数の下りユーザデータを同一フレームに設定して送信する場合、スケジューリング部１８は、まず、特定の下りユーザデータを他の下りユーザデータと同一のシンボルにて送信することにより、当該特定の下りユーザデータが当該他の下りユーザデータの通信品質に影響を与える（通信品質を劣化させる）か否かを判断する。そして、スケジューリング部１８は、特定の下りユーザデータが他の下りユーザデータの通信品質に影響を与えると判断した場合、当該下りユーザデータを、当該他の下りユーザデータと異なるシンボルにて送信するようにサブチャネルおよびシンボルを決定する。
【００１８】
このようなマッピングを行うために、たとえば、スケジューリング部１８は、まず、その送信電力レベルが同程度のユーザデータ同士を同一グループとなるようにグループ分けする。なお、ここでいう「同程度のユーザデータ」とは、任意の２つの下りユーザデータを同一のシンボルにて送信する場合に、互いの通信品質に与える影響が許容範囲内（通信品質を劣化させない範囲内）であるユーザデータをいう。そして、スケジューリング部１８は、グループの異なるユーザデータ同士を、同一シンボルで送信しないように割り当てる。たとえば、図３に示したようにサブチャネルおよびシンボルを割り当てることにより、送信電力レベル差が大きい複数のユーザデータを、互いの通信品質に影響を与えることなく良好に送信することができる。なお、図３は、送信電力レベル差が大きい２つのユーザデータに対してサブチャネルおよびシンボルを割り当てた場合の一例を示す図である。また、図３は、２つのユーザデータを割り当てた場合の例について示しているが、これに限らず、３つ以上のユーザデータを割り当てることも可能である。
【００１９】
また、図４は、スケジューリング部１８がユーザデータのグループ分けを行う処理の一例を示すシーケンス図であり、スケジューリング部１８は、同一フレームで送信する複数のユーザデータが存在する場合、このシーケンスに従い、各ユーザデータをグループ分けする。具体的には、送信電力レベルがＰのユーザデータが入力されると（ステップＳ１１）、スケジューリング部１８は、しきい値（ＴＨ）およびグループ番号（ＧＮ）を初期化する（ステップＳ１２）。つぎに、スケジューリング部１８は、入力されたユーザデータの送信電力レベル（Ｐ）が“ＴＨ≦Ｐ＜ＴＨ＋ΔＰ”であるかどうか確認する（ステップＳ１３）。なお、ΔＰは、各グループの電力レベル範囲の幅を示す。“ＴＨ≦Ｐ＜ＴＨ＋ΔＰ”であると判断した場合（ステップＳ１３、Ｙｅｓ）、スケジューリング部１８は、このユーザデータをグループＧＮにグループ分けする（ステップＳ１５）。
【００２０】
これに対して、“ＴＨ≦Ｐ＜ＴＨ＋ΔＰ”でないと判断した場合（ステップＳ１３、Ｎｏ）、スケジューリング部１８は、ＴＨに対してΔＰを加算し、ＧＮをカウントアップ（インクリメント）する（ステップＳ１４）。以下、スケジューリング部１８は、ユーザデータの送信電力レベルが“ＴＨ≦Ｐ＜ＴＨ＋ΔＰ”となるまで（ステップＳ１３の判定結果が“Ｙｅｓ”となるまで）同様の処理を繰り返すことにより入力されたユーザデータをグループ分けする。以上の処理を実行することにより、グループ１は０〜ΔＰの送信電力レベル、グループ２はΔＰ〜Δ２Ｐの送信電力レベル、グループ３はΔ２Ｐ〜Δ３Ｐの送信電力レベル…というように各下りユーザデータを、送信電力レベルに応じたグループに分ける。
【００２１】
また、基地局１のスケジューリング部１８は、受信した上りユーザデータの受信電力レベルに基づいて、各ユーザデータのグループ分けを行い、当該グループ分けの結果に基づいて各上りユーザデータのスケジューリング（サブチャネルおよびシンボルの割り当て）を行う。具体的には、スケジューリング部１８は、上りユーザデータの受信電力レベルに基づいて、図４に示した処理と同様の処理を行うことにより、同程度の受信電力レベルの上りユーザデータが同一グループとなるように各上りユーザデータをグループ分けする。さらに、スケジューリング部１８は、異なるグループの上りユーザデータを同一のシンボルにて受信しないようにスケジューリングを行う。
【００２２】
なお、上記スケジューリング部１８がユーザデータ（下り／上りユーザデータ）のグループ分けを行う処理の説明においては、電力レベル（送信／受信電力レベル）に基づいて各ユーザデータのグループを決定する（グループ分けを行う）こととしたが、電力レベルに代えて各ユーザ（端末）までの距離に基づいてグループ分けを行うこととしてもよい。すなわち、基地局からの距離が同程度のユーザ同士が同じグループとなるようにグループ分けを行う。これは、距離が同程度の各端末に対する下りユーザデータの送信電力レベルは互いに同程度であること、および距離が同程度の各端末からの上りユーザデータの受信電力レベルは互いに同程度であること、を利用するものである。ここで、端末までの距離は、たとえば、データ送信を行う前に端末から送信される送信要求メッセージ（データ）の受信電力レベルに基づいて算出する。
【００２３】
また、基地局１のスケジューリング部１８は、上り信号（データ）の受信電力レベル、端末から通知される端末側での下り信号の受信電力レベル、などから判断する伝送路状態を考慮して、ユーザデータ（下り／上りユーザデータ）をマッピングするためのサブチャネルを順番に選択することとしてもよい。具体的には、スケジューリング部１８は、ある端末とデータ伝送を行う場合、割り当て可能なサブチャネルの中で、当該端末にとって最も良好な通信品質が得られる（最も良好な伝送路状態の）サブチャネルから順番に、下り／上りサブチャネルを選択する。これにより、スループットを向上させることができる。
【００２４】
このように、本実施の形態においては、基地局は、各下りユーザデータの送信電力レベルまたは各端末までの距離に基づいて下りユーザデータのグループ分けを行い、異なるグループに属する下りユーザデータ同士を同一シンボルにて送信しないようにスケジューリングすることとした。また、各上りユーザデータの受信信号レベルまたは各端末までの距離に基づいて上りユーザデータのグループ分けを行い、異なるグループに属する上りユーザデータ同士を同一シンボルにて受信しないようにスケジューリングすることとした。これにより、送信電力レベルが異なるユーザデータを同一のフレームにて送受信する場合に、通信品質が劣化するのを防止することができ、ハードウエアおよび処理が複雑になることを回避することができる。
【００２５】
また、ユーザデータをマッピングするためのサブチャネルを、伝送路状態に基づいて最も良好な通信品質が得られるサブチャネルから順番に、選択することとした。これにより、スループットを向上させ、リソースを有効に利用することができる。
【００２６】
実施の形態２．
つづいて、実施の形態２について説明する。本実施の形態のスケジューリング方法を適用する無線通信システムの構成は、上述した実施の形態１と同様である。また、本実施の形態の無線通信システムが含む基地局および端末の構成は上述した実施の形態１の基地局および端末と同様であり、スケジューリング部１８が各ユーザデータをグループ分けする動作のみが異なる。ここでは、スケジューリング部１８が各ユーザデータをグループ分けする動作について説明する。
【００２７】
図５は、実施の形態２の基地局が備えるスケジューリング部１８がユーザデータのグループ分けを行う処理の一例を示すシーケンス図であり、このスケジューリング部１８は、送信電力レベルの順番に基づいてユーザデータを所定数（Ｎとする）のユーザデータ毎のグループに分ける。以下、図５に基づいてスケジューリング部１８がユーザデータのグループ分けを行う処理について説明する。
【００２８】
全ユーザデータの送信電力レベル（Ｐ）が入力されると（ステップＳ２１）、スケジューリング部１８は、比較元となるユーザデータの識別子（ｉ）を初期化し（ステップＳ２２）、さらに比較対象となるユーザデータの識別子（ｍ）および送信電力レベルの順位（ＰＬ）を初期化する（ステップＳ２３）。つぎに、スケジューリング部１８は、識別子がｉのユーザデータの送信電力レベル（Ｐｉ）と識別子がｍのユーザデータの送信電力レベル（Ｐｍ）とを比較する（ステップＳ２４）。“Ｐｉ＞Ｐｍ”の場合（ステップＳ２４、Ｙｅｓ）、ｍおよびＰＬをインクリメントする（ステップＳ２５）。これに対して“Ｐｉ≦Ｐｍ”の場合（ステップＳ２４、Ｎｏ）、ｍのみをインクリメントする（ステップＳ２６）。
【００２９】
つぎに、スケジューリング部１８は、ｍが全ユーザデータ数（ＮＵ）に達したかどうかを確認し（ステップＳ２７）、ｍがＮＵに達した場合（ステップＳ２７、Ｙｅｓ）、ステップＳ２８以下を実行する。これに対して、ｍがＮＵに達していない場合（ステップＳ２７、Ｎｏ）、ステップＳ２４に遷移する。以下、ｍがＮＵに達するまで上述したステップＳ２４からＳ２７に至るまでの処理を継続する。
【００３０】
そして、ステップＳ２７において、ｍがＮＵに達したと判断した場合（ステップＳ２７、Ｙｅｓ）、スケジューリング部１８は、ｉをインクリメントする（ステップＳ２８）。さらに、スケジューリング部１８は、識別子がｉのユーザデータの送信電力レベル順位をＰＬに決定し、このＰＬに基づいて当該ユーザデータがＮユーザ毎のグループのいずれに属するかを決定する（ステップＳ２９）。たとえば、送信電力レベルが上位Ｎ番目以内であればグループ１、上位（Ｎ＋１）〜２Ｎ番目以内であればグループ２、…、というようにグループを決定する。つぎに、スケジューリング部１８は、ｉがＮＵに達したかどうかを確認し（ステップＳ３０）、ｉがＮＵに達した場合（ステップＳ３０、Ｙｅｓ）、処理を終了する。これに対して、ｉがＮＵに達していない場合（ステップＳ３０、Ｎｏ）、ステップＳ２３に遷移する。以下、ｉがＮＵに達するまで上述したステップＳ２３からステップＳ３０に至るまでの処理を継続する。
【００３１】
そして、スケジューリング部１８は、全ユーザデータを送信電力レベルの順番に基づいてＮユーザ毎のグループに分けた後、異なるグループに属するユーザデータ同士が同一シンボルにて送信されないようにスケジューリングを行う。
【００３２】
なお、基地局のスケジューリング部１８が、上りユーザデータのスケジューリングを行う処理についても同様である。具体的には、上りユーザデータの受信電力レベルの順番に基づいて所定数の上りユーザデータ毎のグループに分け、当該グループ分けの結果に基づいて、異なるグループの上りユーザデータ同士を同一シンボルにて受信しないようにスケジューリングを行う。
【００３３】
また、本実施の形態においては、各上りユーザデータの受信電力レベルの順番に基づいてグループ分けを行うこととしたが、これに限らず、基地局と各端末との距離の順番（距離が短い順番）に基づいてグループ分けをすることとし、当該グループ分けの結果に基づいてスケジューリングを実行することとしてもよい。
【００３４】
このように、本実施の形態においては、基地局は、各下りユーザデータの送信電力レベルまたは各端末までの距離に基づいて下りユーザデータのグループ分けを行い、異なるグループに属する下りユーザデータ同士を同一シンボルにて送信しないようにスケジューリングすることとした。また、各上りユーザデータの受信信号レベルまたは各端末までの距離に基づいて上りユーザデータのグループ分けを行い、異なるグループに属する上りユーザデータ同士を同一シンボルにて受信しないようにスケジューリングすることとした。これにより、送信電力レベルが異なるユーザデータを同一のフレームにて送受信する場合に、通信品質が劣化するのを防止することができ、ハードウエアおよび処理が複雑になることを回避することができる。
【産業上の利用可能性】
【００３５】
以上のように、本発明にかかるスケジューリング方法は、無線通信システムに有用であり、特に、ＯＦＤＭＡ方式を使用して基地局装置が複数の端末装置と同時に通信を行う場合のスケジューリング方法に適している。
【図面の簡単な説明】
【００３６】
【図１】本発明にかかるスケジューリング方法を適用する無線通信システムの実施の形態１の構成例を示す図である。
【図２】基地局装置の構成例を示す図である。
【図３】送信電力レベル差が大きい２つのユーザデータに対してサブチャネルおよびシンボルを割り当てた場合の一例を示す図である。
【図４】実施の形態１の基地局装置が備えるスケジューリング部がユーザデータのグループ分けを行う処理の一例を示すシーケンス図である。
【図５】実施の形態２の基地局装置が備えるスケジューリング部がユーザデータのグループ分けを行う処理の一例を示すシーケンス図である。
【図６】従来の基地局が同一のフレーム内のシンボルを複数の下りユーザデータに対して割り当てた場合の一例を示す図である。
【図７−１】従来の基地局がユーザ＃１の上りユーザデータに対して割り当てたシンボルの一例を示す図である。
【図７−２】従来の基地局がユーザ＃２の上りユーザデータに対して割り当てたシンボルの一例を示す図である。
【符号の説明】
【００３７】
１  基地局装置
２、３  端末装置
１１  ランダマイズ部
１２  符号化処理部
１３  インターリーブ処理部
１４  変調部
１５  マッピング部
１６  ＩＦＦＴ部
１７  ＧＩ付加部
１８  スケジューリング部
２１  ＧＩ削除部
２２  ＦＴＴ部
２３  検波部
２４  デマッピング部
２５  復調部
２６  デインターリーブ処理部
２７  復号化処理部
２８  デランダマイズ部
３０  アンテナ
【図１】
2009088577.tif 000003
【図２】
2009088577.tif 000004
【図３】
2009088577.tif 000005
【図４】
2009088577.tif 000006
【図５】
2009088577.tif 000007
【図６】
2009088577.tif 000008
【図７−１】
2009088577.tif 000009
【図７−２】
2009088577.tif 000010